(57)【要約】【課題】メンテナンスの頻度を低くし得る炉筒煙管ボイラを提供する。【解決手段】加熱対象の水を貯留する缶体１内に、横倒れ姿勢の炉筒２及び横倒れ姿勢の複数の煙管３が、炉筒２を下方に位置させる状態で上下方向に並べて設けられ、炉筒２の燃焼ガス出口部２ｅから排出される燃焼ガスを煙管３の燃焼ガス入口部３ｉに案内する燃焼ガス流動室４が、缶体１に連設された炉筒煙管ボイラであって、炉筒２の燃焼ガス出口部２ｅから排出される燃焼ガスの流動に抵抗を与えるための複数の管状体６が、内部を冷却水が通流される状態で且つ長手方向を上下方向に向けた縦向き姿勢にて燃焼ガス出口部２ｅの横幅方向に並べた状態で、燃焼ガス流動室４内に設けられている。【選択図】図１
2009270742.tif 000002
【特許請求の範囲】
【請求項１】
加熱対象の水を貯留する缶体内に、横倒れ姿勢の炉筒及び横倒れ姿勢の複数の煙管が、前記炉筒を下方に位置させる状態で上下方向に並べて設けられ、
前記炉筒の燃焼ガス出口部から排出される燃焼ガスを前記煙管の燃焼ガス入口部に案内する燃焼ガス流動室が、前記缶体に連設された炉筒煙管ボイラであって、
前記炉筒の燃焼ガス出口部から排出される燃焼ガスの流動に抵抗を与えるための複数の管状体が、内部を冷却水が通流される状態で且つ長手方向を上下方向に向けた縦向き姿勢にて前記燃焼ガス出口部の横幅方向に並べた状態で、前記燃焼ガス流動室内に設けられている炉筒煙管ボイラ。
【請求項２】
前記燃焼ガス入口部を通して前記煙管の内部に洗浄用の蒸気を噴出する噴出体が、前記複数の管状体のうちの少なくとも一本にて昇降自在に案内される状態で、昇降調節自在に設けられている請求項１記載の炉筒煙管ボイラ。
【発明の詳細な説明】
【技術分野】
【０００１】
本発明は、加熱対象の水を貯留する缶体内に、横倒れ姿勢の炉筒及び横倒れ姿勢の複数の煙管が、前記炉筒を下方に位置させる状態で上下方向に並べて設けられ、
前記炉筒の燃焼ガス出口部から排出される燃焼ガスを前記煙管の燃焼ガス入口部に案内する燃焼ガス流動室が、前記缶体に連設された炉筒煙管ボイラに関する。
【背景技術】
【０００２】
かかる炉筒煙管ボイラは、バーナにより炉筒内にて燃料を燃焼反応させることにより生成する高温の燃焼ガスを炉筒の燃焼ガス出口部から燃焼ガス流動室に排出させ、その燃焼ガス流動室を流動させて複数の煙管の燃焼ガス入口部に流入させて、複数の煙管を流動させることにより、缶体内に貯留されている水を加熱して蒸気を生成するものである。（例えば、特許文献１参照。）。
【０００３】
【特許文献１】特開平１０−１８５１１１号公報
【発明の開示】
【発明が解決しようとする課題】
【０００４】
ところで、可燃成分を含有する廃液、廃油又は重質油をバーナの燃料とする場合、廃液、廃油又は重質油には燃焼させると灰分となる不純物（例えばカルシウム、マグネシウム、バナジウム、鉄等）が多く含まれているので、廃液、廃油又は重質油を燃焼させた燃焼ガスには、不純物の未燃焼成分が灰分となって含まれることになる。
【０００５】
そして、廃液、廃油又は重質油を燃料とする場合は、都市ガス等のガス燃料や軽質油等の液体燃料を燃料とする場合に比べて、燃焼ガスには灰分が多く含まれることになるので、従来の炉筒煙管ボイラでは、そのように灰分が多く含まれた燃焼ガスが煙管等を流動することになり、煙管の内周面やその煙管よりも下手側の燃焼ガス流動経路の内周面等に灰分が付着し易くなる。
煙管の内周面等への灰分の付着量が多くなると、燃焼ガスから缶体に貯留されている水への伝熱量が少なくなるので、熱効率が低下することになり、又、燃焼ガスから水への伝熱量が少なくなると燃焼ガスの温度の低下幅が小さくなるので、缶体等が局部的に過熱されて耐久性が低下する虞がある。
従って、従来の炉筒煙管ボイラでは、熱効率の低下及び耐久性の低下を防止するために、煙管の内周面等に付着している灰分を除去するためのメンテナンスの頻度を高くする必要があり、メンテナンスに係わる負担が重いという問題があった。
【０００６】
本発明は、かかる実情に鑑みてなされたものであり、その目的は、メンテナンスの頻度を低くし得る炉筒煙管ボイラを提供することにある。
【課題を解決するための手段】
【０００７】
本発明の炉筒煙管ボイラは、加熱対象の水を貯留する缶体内に、横倒れ姿勢の炉筒及び横倒れ姿勢の複数の煙管が、前記炉筒を下方に位置させる状態で上下方向に並べて設けられ、
前記炉筒の燃焼ガス出口部から排出される燃焼ガスを前記煙管の燃焼ガス入口部に案内する燃焼ガス流動室が、前記缶体に連設されたものであって、
第１特徴構成は、前記炉筒の燃焼ガス出口部から排出される燃焼ガスの流動に抵抗を与えるための複数の管状体が、内部を冷却水が通流される状態で且つ長手方向を上下方向に向けた縦向き姿勢にて前記燃焼ガス出口部の横幅方向に並べた状態で、前記燃焼ガス流動室内に設けられている点にある。
【０００８】
即ち、燃焼ガス流動室内に設けられている複数の管状体により、炉筒の燃焼ガス出口部から排出される燃焼ガスの流動に抵抗が与えられるので、燃焼ガスの流動速度が減速されることになり、しかも、燃焼ガスが複数の管状体に衝突することや複数の管状体により燃焼ガスの流動方向が変更されることにより、燃焼ガスの流動が乱流化することになる。
そして、燃焼ガス流動室を流動する燃焼ガスの流動速度が減速され、並びに、燃焼ガスの流動が乱流化すると、燃焼ガス中に浮遊していて比重が燃焼ガスよりも重い灰分は落下し易くなるので、結果として、複数の煙管の燃焼ガス入口部に流入する燃焼ガスに含まれる灰分が少なくなる。
又、各管状体が長手方向を上下方向に向けた縦向き姿勢にて燃焼ガス流動室内に設けられているので、燃焼ガス中に浮遊している灰分が管状体の表面に接触しても落下し易いため、灰分が管状体の表面に付着堆積し難いようにすることができるものとなり、管状体の表面に付着堆積している灰分が燃焼ガスが吹き付けられることにより再飛散するのが抑制されることになる。
つまり、複数の管状体の作用によって燃焼ガスに含まれる灰分が少なくなること、及び、灰分が管状体の表面に付着堆積し難いようにして灰分の再飛散が抑制されることが相俟って、複数の煙管の燃焼ガス入口部に流入する燃焼ガスに含まれる灰分が少なくなるようにすることができるので、煙管の内周面やその煙管よりも下手側の燃焼ガス流動経路の内周面等に灰分が付着するのを抑制することができることになり、煙管の内周面等に付着している灰分を除去するためのメンテナンスの頻度を低くすることができる。
しかも、管状体の内部には冷却水が通流されるので、管状体の過熱が防止されることになって、管状体の耐久性の低下を抑制することができ、その管状体を点検するためのメンテナンスの頻度をも低くすることができる。
従って、メンテナンスの頻度を低くし得る炉筒煙管ボイラを提供することができるようになった。
【０００９】
第２特徴構成は、上記第１特徴構成に加えて、
前記燃焼ガス入口部を通して前記煙管の内部に洗浄用の蒸気を噴出する噴出体が、前記複数の管状体のうちの少なくとも一本にて昇降自在に案内される状態で、昇降調節自在に設けられている点にある。
【００１０】
即ち、上下方向に並ぶ複数の煙管夫々の燃焼ガス入口部に蒸気を噴出するように、噴出体を昇降調節することにより、上下方向に並ぶ複数の煙管夫々の内周面に付着堆積している灰分を吹き飛ばして、夫々の燃焼ガス出口部から排出することができる。
そして、噴出体からの蒸気噴出により、上下方向に並ぶ複数の煙管夫々の内周面に付着堆積している灰分を除去することができることにより、煙管の内周面等に付着している灰分を除去するためのメンテナンスの頻度をより一層低くすることができる。
しかも、噴出体が、複数の管状体のうちの少なくとも一本にて昇降自在に案内されるように設けられているので、噴出体を昇降自在に案内するためのガイド部材を別途設ける必要がなく、その結果、噴出体を設けるための構成を簡略化して、炉筒煙管ボイラの価格上昇を抑制することができる。
従って、価格上昇を抑制しながらメンテナンスの頻度をより一層低くし得る炉筒煙管ボイラを提供することができるようになった。
【発明を実施するための最良の形態】
【００１１】
以下、図面に基づいて、本発明の実施の形態を説明する。
図１及び図２に示すように、炉筒煙管ボイラは、加熱対象の水を貯留する缶体１内に、横倒れ姿勢の炉筒２及び横倒れ姿勢の複数の煙管３が、前記炉筒２を下方に位置させる状態で上下方向に並べて設けられ、前記炉筒２の燃焼ガス出口部２ｅから排出される燃焼ガスＥを前記煙管３の燃焼ガス入口部３ｉに案内する燃焼ガス流動室４が、前記缶体１に連設されて構成されている。
更に、前記燃焼ガス流動室４には、前記燃焼ガス入口部３ｉを通して前記煙管３の内部に洗浄用の蒸気を噴出する噴出体５が、昇降調節自在に設けられている。
【００１２】
そして、本発明では、前記炉筒２の燃焼ガス出口部２ｅから排出される燃焼ガスの流動に抵抗を与えるための複数の管状体６が、内部を冷却水が通流される状態で且つ長手方向を略鉛直方向に沿う上下方向に向けた縦向き姿勢にて前記燃焼ガス出口部２ｅの横幅方向に並べた状態で、前記燃焼ガス流動室４内に設けられている。
【００１３】
以下、炉筒煙管ボイラの各部について、説明を加える。
図１及び図２に示すように、前記缶体１は円筒状であり、その円筒状の缶体１が横倒れ姿勢で基台７上に設けられ、そのように基台７上に設けられた缶体１の側周壁における最上部に相当する箇所に、缶体１内にて生成された蒸気を送出する蒸気送出口８が設けられている。
【００１４】
前記炉筒２は円筒状であり、その円筒状の炉筒２が、前記缶体１内の下方側の部分に、軸心を缶体１の軸心に沿わせた横倒れ姿勢で設けられ、その炉筒２の一端に、その炉筒２内を燃焼室９とするようにバーナ１０が設けられ、前記炉筒２の他端の開口に対応するように前記缶体１が開口されて、その開口部が前記燃焼ガス出口部２ｅとするように構成されている。
尚、以下の説明では、前記炉筒２の軸心方向において、燃焼ガス出口部２ｅが存在する側を炉尻側と、バーナ１０が存在する側を炉前方側とそれぞれ称する場合がある。
【００１５】
前記複数の煙管３が、缶体１内における炉筒２の上方側に相当する部分に、夫々の軸心を缶体１の軸心に沿わせた横倒れ姿勢にて夫々の両端が缶体１における炉尻側及び炉前方側両端の端壁を貫通する状態で、缶体１の軸心に沿う軸心方向視において格子状に並ぶように設けられている。
そして、前記複数の煙管３夫々における炉尻側の端部開口が前記燃焼ガス入口部３ｉとなり、前記複数の煙管３夫々における炉前方側の端部開口が燃焼ガス出口部３ｅとなる。
【００１６】
前記缶体１と同径の有底円筒状の流動室形成体１１が、その開口端縁を缶体１における炉尻側の周縁部に接続した状態で缶体１に連設されて、その流動室形成体１１内に、前記燃焼ガス流動室４が形成されている。
その流動室形成体１１の側周壁における最下部に相当する箇所に、燃焼ガス流動室４に連通する状態で、下端に炉尻側灰溜め箱１２が連通接続された炉尻側灰落下路１３が接続され、更に、その炉尻側灰落下路１３を開閉自在な手動操作式の炉尻側シャッター１４が設けられている。
【００１７】
図１に示すように、有底円筒状のバーナカバー体１５が、前記バーナ１０を覆う状態でその開口端縁を缶体１における炉前方側の端壁に接続することにより缶体１に連接されている。
更に、外径が前記缶体１と同径の環状で皿状の排出室形成体１６が、その開口部に前記バーナカバー体１５を挿通した状態で、その周縁を缶体１における炉前方側の端壁に接続した状態で缶体１に連設されて、その排出室形成体１６内に、前記複数の煙管３の燃焼ガス出口部３ｅから燃焼ガスを排出させる燃焼ガス排出室１７が形成されている。
その排出室形成体１６の側周壁における最上部に相当する箇所に、燃焼ガス排出室１７から燃焼ガスを排出する煙突１８が燃焼ガス排出室１７に連通する状態で設けられ、その排出室形成体１６の側周壁における最下部に相当する箇所に、燃焼ガス排出室１７に連通する状態で、下端に炉前方側灰溜め箱１９が連通接続された炉前方側灰落下路２０が接続され、更に、その炉前方側灰落下路２０を開閉自在な手動操作式の炉前方側シャッター２１が設けられている。
【００１８】
図示を省略するが、前記炉尻側灰溜め箱１２及び前記炉前方側灰溜め箱１９には、内部に溜まっている灰分を取り出すための灰取り出し口、及び、その灰取り出し口を開閉自在な灰取り出し口扉が設けられている。
【００１９】
前記バーナ１０は、周知であるので詳細な説明及び図示を省略して簡単に説明すると、このバーナ１０は、灰分となる不純物を含有する廃油を燃料として燃焼させるように構成されて、炉筒２内の燃焼室９にて燃焼ガス出口部２ｅに向かって火炎を形成するように、前記缶体１の炉前方側の端壁に設けられている。
そして、このバーナ１０に、燃料としての廃油を供給する燃料供給路２２、並びに、送風機２４から燃焼用空気を供給する空気路２５が接続されている。
【００２０】
図１ないし図３に基づいて、前記管状体６について説明を加える。
各管状体６は、前記煙管３と同様に、耐熱鋼を用いて円筒状に形成された管体にて構成されている。
そして、４本の管状体６が、両端の２本が中間の２本よりも前記燃焼ガス排出口２ｅ側に位置する状態で、その燃焼ガス排出口２ｅの横幅方向に並べて設けられている。
各管状体６は、その両端が前記流動室形成体１１の側周壁を貫通するように設けられて、前記流動室形成体１１に支持されている。
即ち、各管状体６は、前記燃焼ガス流動室４内における上下方向全長にわたる状態で設けられて、前記燃焼ガス出口部２ｅの上下方向の全範囲及び前記複数の煙管３の燃焼ガス入口部３ｉにおける上下方向の存在範囲の全範囲にわたるように設けられている。
前記４本の管状体６の上端が給水路２６に並列接続され、４本の管状体６の下端が中継路２７に並列接続され、更に、その中継路２７が、前記缶体１の側周壁における上下方向略中央に相当する箇所に接続されて、給水路２６からの加熱対象の水が、前記４本の管状体６を並行して通流したのち、中継路２７を通して缶体１内に供給されるように構成されている。
【００２１】
缶体１に供給される水は４本の管状体６を並行して通流することにより予熱されることになるが、その予熱熱量は、この炉筒煙管ボイラにて加熱される熱量のうちの約１％程度である。
【００２２】
次に、前記噴出体５の構成及びその噴出体５を昇降調節するための昇降調節部４０について、説明を加える。
図１ないし図３に示すように、この実施形態では、前記噴出体５が、前記４本の管状体６のうち両端の２本の管状体６（以下、昇降案内用の管状体６と称する場合がある）にて昇降自在に案内される状態で、昇降調節自在に設けられている。
前記噴出体５は、横倒れ姿勢の管状の噴出本体部５ｍにおける長手方向の略中央部に、上方に延びるように蒸気受入管５ｓが連通接続され、更に、前記噴出本体部５ｍに、格子状に設けられた前記複数の煙管３における横方向の煙管列と同数のノズル５ｎをその煙管列における煙管３の並び形態と同形態で並べて設けて構成されて、前記蒸気受入管５ｓを通して前記噴出本体部５ｍに供給される蒸気が複数のノズル５ｎから噴出される構成となっている。
【００２３】
図３に示すように、前記噴出体５の噴出本体部５ｍには、そのノズル設置側とは反対側に延びるように、２本の昇降案内用の管状体６にて昇降自在に案内される一対の案内支持部２８が噴出本体部５ｍの長手方向に振り分けた状態で設けられている。
各案内支持部２８は、噴出本体部５ｍにその長手方向に並ぶ状態で取り付けられた一対のブラケット２８ｂに、３個のローラ２８ｒがそれらのうちの２個のローラ２８ｒが上下方向に並び且つ１個のローラ２８ｒが前記２個のローラ２８ｒと噴出本体部５ｍの径方向に間隔を隔てて位置する形態で回転自在に支持されて構成されている。
そして、前記噴出体５が、各案内支持部２８の１個のローラ２８ｒと上下方向に並ぶ２個のローラ２８ｒとの間に各昇降案内用の管状体６が通される状態で設けられて、前記噴出体５が、２本の昇降案内用の管状体６に昇降自在に案内される状態で設けられている。
【００２４】
図４に示すように、前記昇降調節部４０は、前記流動室形成体１１の上部に図示しない支持部材にて長手方向を上下方向に向けた縦向き姿勢で吊り下げ状に支持された長尺状のケーシング４１と、そのケーシング４１内に縦向き姿勢で回動自在に支持された送りネジ軸４２と、その送りネジ軸４２に伝動連結部４３にて伝動連結されてその送りネジ軸４２を回動駆動する電動モータ４４と、縦向き姿勢の円筒状の連結管４５の上端部に取り付けられた状態で前記送りネジ軸４２に螺合された雌ネジ部材４６とを備えて構成されている。
前記噴出体５に蒸気を供給する蒸気供給管２９が、その上端部がケーシング４１の上端部に支持された状態でケーシング４１内に設けられ、前記連結管４５が前記蒸気供給管２９に摺動自在な状態で気密状に外嵌され、前記連結管４５の下端部に前記噴出体５の蒸気受入管５ｓの上端部が接続されている。
更に、前記ケーシング４１の下端部には、３個のローラ４７が、前記連結管４５の周方向に分散して位置してその連結管４５の昇降を案内するように設けられている。
【００２５】
そして、前記電動モータ４４により送りネジ軸４２を正逆に回動駆動することにより、前記噴出体５が、２本の昇降案内用の管状体６による案内にて、前記連結管４５が前記蒸気供給管２９の外周部を摺動する状態で昇降調節されるように構成されている。
【００２６】
更に、図１及び図２に示すように、前記バーナカバー体１５内に、炉筒洗浄用ノズル３０が前記炉筒２の底部に向けて洗浄用の蒸気を噴出するように設けられている。
【００２７】
図１に示すように、前記缶体１の蒸気送出口８に、蒸気需要先に蒸気を送出する蒸気送出路３１が接続され、その蒸気送出路３１から煙管洗浄用蒸気路３２と炉筒洗浄用蒸気路３３が分岐されて、煙管洗浄用蒸気路３２が前記蒸気供給管２９の上端部に接続され、炉筒洗浄用蒸気路３３が前記炉筒洗浄用ノズル３０に接続されている。
前記煙管洗浄用蒸気路３２には、その煙管洗浄用蒸気路３２による蒸気供給を断続する煙管洗浄断続弁３４が設けられ、前記炉筒洗浄用蒸気路３３には、その炉筒洗浄用蒸気路３３による蒸気供給を断続する炉筒洗浄断続弁３５が設けられている。
【００２８】
前記煙突１８には、その煙突１８を通して排出される燃焼ガスの温度を検出する燃焼ガス温度センサ３６が設けられている。
そして、この炉筒煙管ボイラの運転を制御する運転制御部３７が、前記燃焼ガス温度センサ３６の検出温度が設定温度以上になると、前記噴出体５及び前記炉筒洗浄用ノズル３０から蒸気を噴出させて前記複数の煙管３及び前記炉筒２を洗浄する洗浄運転を実行するように構成されている。
ちなみに、前記設定温度は例えば３００°Ｃに設定される。
【００２９】
次に、図１に基づいて、上述のように構成された炉筒煙管ボイラにおけるバーナ１０の燃焼ガスＥの流動形態について説明する。
ちなみに、この炉筒煙管ボイラの運転中において、前記炉尻側灰溜め箱１２や前記炉前方側灰溜め箱１９に溜まった灰分を廃棄する灰廃棄時以外は、前記炉尻側シャッター１４及び前記炉前方側シャッター２１は開かれている。
バーナ１０の燃焼ガスＥは、燃焼室９から燃焼ガス出口部２ｅを通過して燃焼ガス流動室４内に流入してその燃焼ガス流動室４内を上方に流動し、更に、各燃焼ガス入口部３ｉから複数の煙管３に流入してそれら複数の煙管３を流動して、燃焼ガス排出室１７に流出し、その燃焼ガス排出室１７から煙突１８を通して排出される。
【００３０】
上述の如く流動する燃焼ガスＥは、燃焼ガス流動室４内に設けられている複数の管状体６により、燃焼ガス流動室４内を流動するときに抵抗が与えられる。即ち、燃焼ガス出口部２ｅから複数の管状体６に向かって流動するときや、複数の煙管３の燃焼ガス入口部３ｉに向かって流動するとき等において、その流動に抵抗が与えられることになり、その結果、燃焼ガス流動室４内における流動速度が減速され、又、複数の管状体６に衝突すること及び複数の管状体６により流動方向が変更されること等により、燃焼ガスＥの流動が乱流化することになる。
そして、上述のように燃焼ガスＥの流動速度が減速され、並びに、燃焼ガスＥの流動が乱流化することにより、燃焼ガスＥ中に浮遊していて比重が燃焼ガスＥよりも重い灰分が図中の矢印Ａの如く落下し易くなるので、燃焼ガスＥに含まれる灰分が少なくなり、複数の管状体６に燃焼ガスＥに浮遊して持ち込まれる灰分が少なくなる。
又、管状体６が縦向き姿勢にて燃焼ガス流動室４内に設けられているので、燃焼ガスＥ中に浮遊している灰分が管状体６の表面に接触しても落下し易いため、灰分が管状体６の表面に付着堆積し難くなり、管状体６の表面に付着堆積している灰分が燃焼ガスＥが吹き付けられることにより再飛散するのが抑制されることになる。
つまり、複数の管状体６の作用によって燃焼ガスＥに含まれる灰分が少なくなること、及び、灰分が管状体６の表面に付着堆積し難いようにして灰分の再飛散が抑制されることが相俟って、複数の煙管３に流入する燃焼ガスＥに含まれる灰分が少なくなるようにすることができるので、煙管３の内周面に灰分が付着するのを抑制することができる。
燃焼ガス流動室４内を落下する灰分は、炉尻側灰落下路１３を落下して炉尻側灰溜め箱１２に溜まることになる。
【００３１】
次に、前記洗浄運転について説明を加える。
前記運転制御部３７は、前記バーナ１０を燃焼させる炉筒煙管ボイラの運転中において、前記燃焼ガス温度センサ３６の検出温度が前記設定温度よりも低いときは、前記噴出体５を前記複数の煙管３よりも上方の退避位置に位置させるべく、前記電動モータ４４の作動を制御するように構成されている。
そして、前記運転制御部３７は、前記洗浄運転では、前記煙管洗浄断続弁３４及び前記炉筒洗浄断続弁３５を開弁したのち、噴出体５を上下方向に並ぶ複数の煙管列の最上部の煙管列から順に噴出体５の各ノズル５ｎが煙管列の各煙管３の燃焼ガス入口部３ｉに臨む噴出位置に設定時間ずつ位置させるべく電動モータ４４の作動を制御し、噴出体５を最下部の煙管列に対する噴出位置に設定時間位置させると、噴出体５を前記退避位置にまで上昇させるべく電動モータ４４の作動を制御したのち、煙管洗浄断続弁３４及び炉筒洗浄断続弁３５を閉弁して、洗浄運転を終了するように構成されている。
【００３２】
洗浄運転では、噴出体５の複数のノズル５ｎから煙管列の複数の煙管３の燃焼ガス入口部３ｉに蒸気が噴出されることになり、そのように複数の煙管３の燃焼ガス入口部３ｉに蒸気が噴出されると、その噴出蒸気によって、煙管３の底部に堆積している灰分や煙管３の内周面に付着している灰分が吹き飛ばされて煙管３の燃焼ガス出口部３ｅから燃焼ガス排出室１７内に排出され、図中の矢印Ａの如く、その燃焼ガス排出室１７及び炉前方側灰落下路２０を落下して、炉前方側灰溜め箱１９内に溜まることになる。
又、炉筒洗浄用ノズル３０から炉筒２の底部に向かって蒸気が噴出されることになり、そのように炉筒２の底部に向かって蒸気が噴出されると、その噴出蒸気によって、炉筒２の底部に溜まっている灰分が吹き飛ばされて炉筒２の燃焼ガス出口部２ｅから燃焼ガス流動室４内に排出されて、その燃焼ガス流動室４及び路尻側落下路１３を落下し、炉尻側灰溜め箱１２内に溜まることになる。
【００３３】
炉前方側灰溜め箱１９に溜まっている灰分を廃棄するときは、炉前方側シャッター２１を閉じたのち、前記灰取り出し口扉を開いて内部に溜まっている灰分を取り出すことになり、又、炉尻側灰溜め箱１２に溜まっている灰分を廃棄するときは、炉尻側シャッター１４を閉じたのち、前記灰取り出し口扉を開いて内部に溜まっている灰分を取り出すことになる。
【００３４】
以下、上述のように複数の管状体６を燃焼ガス流動室４内に設けることによりメンテナンス頻度を低くできることを検証した結果を説明する。
尚、この検証試験においては、燃焼させると灰分となる不純物を０．０５重量％含む廃油をバーナ１０の燃料とした。
又、検証試験中は、噴出体５及び炉筒洗浄用ノズル３０による蒸気の噴出は行わず、煙突１８から排出される燃焼ガスの温度が例えば３５０°Ｃ以上になると、煙管３内に付着堆積した灰分の量が多くなっているため、煙管３内の灰分を除去するためのメンテナンスを行うものとした。
【００３５】
燃焼ガス流動室４内に複数の管状体６を設けない場合は、１日当たり１０時間運転するとして、１ヶ月毎に炉筒煙管ボイラを停止してメンテナンスを行う必要があり、又、１ヶ月の運転期間中の平均の熱効率は７５％程度であった。
これに対して、燃焼ガス流動室４内に上述のように４本の管状体６を設けた場合は、１日当たり１０時間運転するとして、６ヶ月〜１年間、メンテナンスを行うことなく炉筒煙管ボイラを運転することができ、その運転期間中の平均の熱効率は８０％程度であった。
この検証試験により、燃焼ガス流動室４内に複数の管状体６を設けることにより、メンテナンスの頻度を低くすることができることを検証することができ、又、熱効率を向上することができることも検証することができた。
【００３６】
〔別実施形態〕
次に別実施形態を説明する。
（イ）  燃焼ガス流動室４内に設ける管状体６の本数は、上記の実施形態において例示した４本に限定されるものではなく、２本又は３本でも良く、あるいは、５本以上でも良い。
【００３７】
（ロ）  上記の実施形態においては、複数の管状体６を通流させた水を缶体１に供給する場合について例示したが、複数の管状体６を通流させた水を缶体１に供給せずに、他の用途で使用するように構成しても良い。
【００３８】
（ハ）  バーナ１０の燃料としては、上記の実施形態において例示した廃油に限定されるものではなく、例えば、重質油や可燃成分を含有する廃液を使用することができる。
そして、廃液を燃料として使用する場合等、その廃液単独では燃焼させることができない場合は、バーナ１０を、廃液を都市ガス等のガス燃料又は重油等の液体燃料にて燃焼させる混焼式のバーナに構成さすることになる。
【００３９】
（ニ）  上記の実施形態においては、管状体６の上端に給水路２６を接続し、管状体６の下端に中継路２７を接続して、管状体６内を通して水を下向きに通流させるように構成したが、逆に、管状体６の下端に給水路２６を接続し、管状体６の上端に中継路２７を接続して、管状体６内を通して水を上向きに通流させるようにしても良い。
【００４０】
（ホ）  複数の管状体６のうちで、噴出体５を昇降自在に案内するために用いる管状体６の本数は、上記の実施形態において例示した２本に限定されるものではなく、１本でも３本以上でもよい。
【図面の簡単な説明】
【００４１】
【図１】炉筒煙管ボイラの縦断正面図
【図２】炉筒煙管ボイラの縦断右側面図
【図３】炉筒煙管ボイラの炉尻側端部の横断平面図
【図４】昇降調節部の縦断正面図
【符号の説明】
【００４２】
１    缶体
２    炉筒
２ｅ  燃焼ガス出口部
３    煙管
３ｉ  燃焼ガス入口部
４    燃焼ガス流動室
５    噴出体
６    管状体
【図１】
2009270742.tif 000003
【図２】
2009270742.tif 000004
【図３】
2009270742.tif 000005
【図４】
2009270742.tif 000006